(57)【要約】  記憶コンテンツ（２２）を有するデータ担体が開示されている。データ担体（２０）のコンテンツ（２２）へのアクセスは、「コピー制限」及び「再生不可」権利により制御される。これら権利の組み合わせは、担体（２０）が例えばジュークボックスローダとして用いられることを可能とする。コンテンツは、担体（２０）から再生できないが、ジュークボックス（３０）での再生のためにジュークボックス（３０）にコピー可能とされる。これは、エンドユーザをコンテンツ（２２）を用いるのに十分に自由にさせることを可能としつつ、プロバイダがコンテンツ（２２）に対する制御を維持することを許容する専用の若しくは再使用可能な又は使い捨てのジュークボックスローダディスクを提供するのに用いることができる。データ担体（２０）は、ＣＤ２フォーマットと両立可能なディスクに具現化することができる。コンテンツ（２２）を配信する対応の方法も開示されている。
2005509996.tif 000002
【特許請求の範囲】
【請求項１】
コンテンツを記憶するデータ担体であって、当該データ担体における前記コンテンツへのアクセスは、「制限付コピー」及び「再生不可」権利によって制御される、データ担体。
【請求項２】
請求項１に記載のデータ担体であって、前記「制限付きコピー」権利は、「１回コピー」権利である、データ担体。
【請求項３】
請求項１に記載のデータ担体であって、当該担体に記憶される修正可能データは、当該データ担体の読取手段によって修正可能である、データ担体。
【請求項４】
請求項３に記載のデータ担体であって、前記修正可能データは、当該コピーがなされたことの事実の記録として当該データのコピーにより修正可能である、データ担体。
【請求項５】
請求項３に記載のデータ担体であって、前記修正可能データは、前記コンテンツとは分離されている、データ担体。
【請求項６】
請求項１に記載のデータ担体であって、前記コンテンツは、修正不可能なようにして記録されている、データ担体。
【請求項７】
請求項１に記載のデータ担体であって、ＣＤ２ディスク読取手段と両立することの可能なデータ担体。
【請求項８】
請求項７に記載のデータ担体であって、前記コンテンツをコピーする権限は、当該データ担体におけるキーロッカーの内容を上書きすることにより除去される、データ担体。
【請求項９】
請求項１に記載のデータ担体であって、当該データ担体に、プログラム可能若しくは再プログラム可能な又は消去可能なトランスポンダが埋め込まれ又は付されている、データ担体。
【請求項１０】
請求項１に記載のデータ担体であって、前記コンテンツのコピーにおいて、前記コンテンツの一部又は全てが当該データ担体から除去され又は使用不可能とされる、データ担体。
【請求項１１】
請求項１に記載のデータ担体であって、前記コンテンツは、前記コンテンツをコピーする権限がネットワークから得られるまでコピーされることができない、データ担体。
【請求項１２】
データ担体にコンテンツを記録し、再生装置の記憶手段に前記コンテンツを転送する、コンテンツ配信方法であって、前記データ担体のコンテンツは、「制限付コピー」及び「再生不可」権利を有し、「制限付再生」及び「無制限再生」権利の１つを割り当てられることを可能とする、方法。
【請求項１３】
請求項１２に記載の方法であって、前記コンテンツがコピーされた後に検出可能なように前記データ担体へ変更を施すステップを有する、方法。
【請求項１４】
請求項１３に記載の方法であって、前記変更は、前記コンテンツが正常にコピーされた後にのみ施される、方法。
【請求項１５】
権利データ及びコンテンツを記憶する記憶媒体を有し、データ担体のコンテンツ及び権利を前記記憶媒体に転送するよう構成されるジュークボックスシステムであって、「制限付コピー」及び「再生不可」権利を含む、前記データ担体に記憶される権利における「制限付再生」及び「無期限再生」権利の１つを当該転送コンテンツに割り当てるよう構成されているシステム。
【発明の詳細な説明】
【技術分野】
【０００１】
本発明は、ディジタル著作権管理（digital rights management）に関する。特に、コンテンツを記憶するデータ担体及びデータ担体のコンテンツを配信する方法に関する。
【背景技術】
【０００２】
益々増大する量のコンテンツが電子形式で配信されている。このようなコンテンツは特に、オーディオ記録情報及びオーディオビジュアル作品を含む。色々なタイプの装置がこのようなコンテンツを再生するのに用いられる。例えば、ディジタルジュークボックスは、コンピュータを使用することなくユーザがこのようなコンテンツを手に入れることを可能とするために利用されるようになってきている。代表的なディジタルジュークボックスは、ユーザの要求に沿うことのできるコンテンツファイルが記憶された大容量記憶装置を含む。現在、ディジタルジュークボックスの一般的な構成は、数多くのオーディオトラック（情報）が記憶可能なハードディスクドライブと、通常はスピーカ又はステレオオーディオヘッドホンのようなトランスデューサにより再生するようこれらトラックを再生するオーディオ再生ハードウェア及びソフトウェアとを含んでいる。一般には、かかるコンテンツを再生する装置は、何らかの形式の大記憶装置を含むものであり、それはコンテンツが再生のために記憶されるハードディスク又は他のデバイスである。
【０００３】
ジュークボックスにコンテンツをロードするために、幾つかの手法が採用されてきた。かかる手法の１つは、オーディオＣＤのような発行された媒体を用いる。その場合、ジュークボックスシステムは、例えばＣＤプレーヤの如き移動可能な媒体にアクセスする装置を含むか又は当該装置に接続され、コンテンツがジュークボックス内の記憶デバイスにコピーされる。他の方法は、多くの場合はインターネットの如きコンピュータネットワークにジュークボックスを接続し、ジュークボックス内で当該コンテンツを当該記憶デバイスにダウンロードするものである。後者の方法は、電子音楽ダウンロード（ＥＭＤ：electronic music download）として知られている。
【０００４】
電子形式のコンテンツに伴う問題は、該コンテンツのコピーが簡単にできてしまうということから起こっている。コンテンツプロバイダにとって、ジュークボックスのような装置がコンテンツのための支払いをすることなく多くの人がコンテンツを使うことを許容し得ることが重要である。慣例的な配信システムでは、ＣＤの単一コピーから実際上無限の数のジュークボックスにコンテンツを記憶することができない技術的な理由はない。さらにコンテンツは、ＭＰ３フォーマットなどのディジタルフォーマットに変換され、ウェブサイト又は他の適正なサーバからインターネットを通じて無制限の数の人々に配信されることができる。
【０００５】
コンテンツの無制限配信に対する既知の対策の1つは、当該ジュークボックス自体に何らかの形態のディジタル著作権管理（ＤＲＭ：digital right management）機能を含ませることであり、かかる機能は、例えばＳＤＭＩ（Secure Digital Music Initiative）によって提案された規格によるものである。このような規格は、コンテンツプロバイダによりリリースされたコンテンツの規制されない違法配信を防止しようとするものである。
【０００６】
発行メディアに関連づけられたこのようなＤＲＭシステムのために提案された権利は、「コピー不可」、「限定回数のコピー」（例えば１回）、「原情報（オリジナル）のみコピー」及び「無制限コピー」といった幾つかのレベルのコピー制限を含んでいる。このようなコピーの権利は、コンテンツを再生する権利と組み合わせて作られるのが普通である。
【０００７】
幾つかの極端な配信システム（すなわち、権利を伴わない又は限られた権利しかないコンテンツ配信）が提案されており、オリジナルを最初は再生できず、先ずオリジナルを権限付与手続きに掛けなければならないというものである。幾つかのケースにおいては、オリジナルが読出専用媒体におけるファイルに属する場合のように、オリジナルでないコピー情報だけに再生する権限を与えることができる。ディジタルジュークボックスのＥＭＤを用いたコンテンツの安全なロードには、インターネット接続（好ましくはブロードバンド）が必要であるという特有の欠点がある。現在、これは転送に多大なコストを掛け、アクセス容易性を制限している。ブロードバンドインターネットアクセスを有する限定された数の人々にとって、各自の家又は仕事場でしかそれにアクセスできないのが普通である。
【０００８】
発行される媒体に関連づけられるＤＲＭシステムの提案されている権利の多くにも特有の欠点がある。
・「コピー不可」は、ジュークボックスにコンテンツをコピーすることを阻止し、さらには個人使用のバックアップコピーをすることも阻止する。これは、ユーザにより「公正使用」の原則の違反と理解される。
・「制限付コピー」（例えば1回のコピー）も、「公正使用」の原則の違反と理解される。
・「オジリナルコピー」は、借用される媒体又は認可されていない媒体をジュークボックスにロードするのに用いるユーザに対する保護をプロバイダに与えない。
・「無制限コピー」は、無制限配信からの保護がない。
【０００９】
「制限付コピー」は、借用されるディスクの違法使用の問題を伴うことなくジュークボックスのロードを可能とする最良のオプションであるものと考えられるかもしれない。これは、コンテンツプロバイダには魅力的なものとなるかもしれないが、個人使用の（十分）なコピーをなすことのオプションを拒まれたと感じているかもしれないユーザには受け入れられないのかもしれない。
【００１０】
欧州特許出願公開ＥＰ−Ａ−１０４５３８６には、コンテンツを使用する権利をコンテンツ自体から分離されて伝送するようにしたシステムが開示されている。これにより、ユーザは、データ担体からのコンテンツを再生装置にコピーすることができるとともに、コンテンツプロバイダは、コンテンツを使用する権利についての規制を維持することができる。しかしながら、このシステムは、遠隔のサーバに接続する能力を再生装置に要求するものであり、これは常に可能な訳ではなく、特に携帯用装置には不向きである。
【発明の開示】
【発明が解決しようとする課題】
【００１１】
本発明の目的は、プロバイダの立場から安全なコンテンツの配信の備えをし、ユーザが当該コンテンツに対し十分満足のいく程度の規制又は制御を行うことができるようにすることである。
【課題を解決するための手段】
【００１２】
第１の態様により、本発明は、コンテンツを記憶するデータ担体であって、当該データ担体における前記コンテンツへのアクセスは、「制限付コピー」及び「再生不可」権利によって制御される、データ担体、を提供する。
【００１３】
当該担体のコンテンツについて、「制限付コピー」権利は、「再生不可」権利と共働して、当該担体が例えばジュークボックスローダとして用いられることを可能にする。このコンテンツは、担体からは再生することができないが、ジュークボックスにおける再生のためにジュークボックスにコピー可能である。これは、プロバイダがコンテンツの制御を維持することができる専用の、再使用可能な、又は使い捨て用のジュークボックスローダディスクを提供するために用いることができるとともに、エンドユーザに当該コンテンツを使用する十分な自由を与えることができる。勿論、「再生不可」制限は、以前にジュークボックスにロードされたコンテンツに課せられていない。この構成は、配信メディアからコンテンツを引き出す備えがないので、当該担体は、伝送媒体としてしか機能せず、受け入れられる意味においてはコンテンツキャリアとして機能しない。
【００１４】
「制限付コピー」権利は、「１回コピー」権利としてもよい。これは、当該コンテンツへのユーザアクセスに課せられることのできる最も限定的な賦課である。
【００１５】
特定の対策は、許可されたものを超えて当該データ担体からなされる正常なコピーを回避することが求められている。何を確実としなければならないかは、最大限度の回数コンテンツをコピーすると、少なくとも当該ディスクのさらなる変更を伴わないことを最低のものとしてオリジナルディスクを再度用いることができないものとすることである。第１の例として、本発明を具現化するデータ担体には、当該担体の読取手段（リーダ）により修正することのできるデータ（すなわち当該データ担体の書込可能部分に記憶されるデータ）を含ませてもよい。このようなデータは、コピーがなされたという事実の記録として当該データをコピーするに際して修正することができる。かかる修正可能なデータは、コンテンツから分離可能である。コンテンツから権限付与データを分離することによって、ユーザは、通常はコンテンツプロバイダに更なる支払いをして、当該権限付与のコンテンツにつき回復させるようにすることによってコンテンツのさらなるコピーをなすことができる。或いは、コンテンツ自体の一部又は全体がディスクから除去され又は使用不可能なものとすることができる。普通は、当該データ担体の読取手段により修正することができないようにコンテンツが記録されるようにすることができる。
【００１６】
本発明を具現化するデータ担体は、例えば、ＣＤ２技術に基づいたものとすることができる。後者の場合、コンテンツをコピーする権限の付与は、当該ディスクのキーロッカー（キー格納部）の内容を上書きすることによって除去されるかもしれない。代替例として、プログラム可能若しくは再プログラム可能な又は消去可能なトランスポンダ（中継部）がデータ担体の中に埋め込まれ又は付随されるものとしてもよい。
【００１７】
代替案においては、コンテンツをコピーする権限付与をネットワーク接続、最も平易なものとしてはインターネット接続を経由して得ることができる。この場合の権限付与は、極度の配信の場合に相当するので、お金や権利又はキーの交換を含む必要はない。本発明の実施例では、再生する権利を転送する他の幾つかの手段を用いることができる。
【００１８】
第２の態様により、本発明は、データ担体にコンテンツを記録し、再生又は演奏装置の記憶手段に前記コンテンツを転送する、コンテンツ配信方法であって、前記データ担体のコンテンツは、「制限付コピー」及び「再生不可」権利を有し、「制限付再生」及び「無制限再生」権利の１つを割り当てられることを可能とする、方法を提供する。
【００１９】
本発明のこの態様の実施例においては、当該コンテンツがコピーされた後に後から削除され得るようにデータ担体に対して変更がなされる。これにより、ユーザがコピーをする権利を有するかどうか、又は最大許容数のコピーが既になされたかどうかを判定することができる。コピー動作において問題が生じた場合にユーザが権利を失わないようにするためにコピーが正常になされたことの検証の後にのみ、かかる変更がなされるのが好ましい。
【００２０】
代表的なものとして、この発明は、コンテンツが再生装置にロードされると、オリジナルの配信メディアの「再生不可」及び「無制限再生」と「１回コピー」又は「制限付コピー」を兼ね備える権利を規定する。ユーザは、自分の再生装置に当該コンテンツのインスタンスをロードする権利について特別に支払うが他の使用のためにコンテンツを再配置し、コピーし又は再フォーマット化する権利に対しては支払わない。このようなシステムは、ＥＭＤに代わる非常に安価なものとすることができ、各種再生権利を備えた発行メディアの補助となり得る。  
【００２１】
第３の態様により、本発明は、権利データ及びコンテンツを記憶する記憶媒体を有し、データ担体のコンテンツ及び権利を前記記憶媒体に転送するよう構成されるジュークボックスシステムであって、「制限付コピー」及び「再生不可」権利を含む、前記データ担体に記憶される権利における「制限付再生」及び「無期限再生」権利の１つを当該転送コンテンツに割り当てるよう構成されているシステムを提供する。
【発明を実施するための最良の形態】
【００２２】
以下、本発明の他の特徴、目的及び効果を、添付図面を参照して好適実施例の説明によって明示する。
【００２３】
本例は、本発明を具現化するデータ担体を構成するＣＤ２ＲＷレコーダブル及びリライタブルディスクを用いている。この例において、当該コンテンツは、オーディオ記録情報を有するが、そのようなコンテンツに決して限定されるものではない。これは、オーディオビジュアル、マルチメディア、ソフトウェアプログラムその他のコンテンツに等しく適用可能である。
【００２４】
この例において、ユーザは、本発明を具現するデータ担体のオーディオトラック（情報）を業者から購入し、それらトラックをジュークボックス３０に転送することができる。この処理の第１のパートは、データ担体を作製することである。これは、図１に示されるような装置を用いてその業者の店舗において行われる。
【００２５】
この装置は、購買のために利用することのできるオーディオトラック１４の全てが記憶された大容量記憶装置１２を有するバルクコンテンツ記憶装置１０を含む。消費者は、適正なユーザインターフェースによって自分の欲しいトラックを選択することができる。オプションとして、その消費者はその選択のときに最終的な決定をなす前に選択トラックを聴く機会が与えられることになる。
【００２６】
かかる選択処理が消費者の満足のいくものに落ちつくと、当該選択トラックは、ブランクＣＤ２ＲＷディスク２０にコピーされる。消費者は、自分の欲しいトラックを選択してジュークボックス３０にロードすることになり、これらは２２で示されるようにＣＤ２ＲＷディスクにコピーされる。ディスク２０において、「制限付きコピー」（デフォルトでは「１回コピー」）及び「再生不可」の権利は、ディスク２０のキーロッカー（キー格納部）２４に適正データを記憶することによりトラック２２と関連付けられる。
【００２７】
「再生不可」権利は、トラックを暗号化することにより本実施例に適用される。暗号解読キーは、ディスクのキーロッカに記憶される。これにより、まだＣＤ２オーディオプレーヤにより再生不可能な、読取手段により読み取ることのできる圧縮され暗号化されたＣＤ２トラック２２を有するＣＤ２準拠ディスクとなる。但し、データは、ディスク２０から読み取られ、当該トラックをジュークボックスシステムへ転送可能である。
【００２８】
このディスクを用いるため、消費者は、図２に示されるような準拠ジュークボックス３０を持つ必要がある。
【００２９】
ジュークボックス３０は、権利データ及びコンテンツが記憶可能な記憶装置３２を含む。例えば、記憶装置３２は、ハードディスク、半導体メモリその他の現に知られ若しくは開発されようとしている適性な記憶手段又は種々の記憶技術の組み合わせを含みうる。
【００３０】
ＣＤ２ディスク２０のオーディオトラック２２は、ジュークボックス３０内の記憶装置のコンテンツエリア３４に転送され、「コピー不可」及び「無制限再生」権利は、ジュークボックス３０内の記憶装置のディジタル権利エリア３２に記憶される。ここでジュークボックス３０は、利用可能なコンテンツを当該コンテンツエリアに記憶させるものとすることができる。
【００３１】
コンテンツ及び権利情報の転送が成功すると、ＣＤ２キーロッカー２４に格納された権利は消去される。この動作が完了した後、ＣＤ２ディスク２０は、キーロッカー２４の内容が「無制限再生」権利を作るのにもはや利用できないので、再使用することができない。ユーザが他のジュークボックスにおいてコンテンツを使用したい場合には、キーロッカー２４内のデータは、適正な料金の支払いにより当該業者により再記憶可能となる。或いは、ディスク２０は、使い捨ての担体のようなものとしたり使用後に捨てられるものとすることができる。
【００３２】
代替例として、キーロッカー２４にカウントを記憶し、当該カウンタがコピーがなされる度にデクリメントするようにすることができる。カウンタがゼロに達すると、キーロッカー２４の内容は削除される。こうして、ユーザは１つ以上のジュークボックスへの配信のためのコンテンツを得るように選択することができる。
【００３３】
キーロッカー２４の使用に代えて又は加えて、トランスポンダ（中継部）２６は、ディスクに埋め込まれ又は付されることも考えられる。トランスポンダ２６に対し、例えばラジオ周波数信号を用いてデータが書き込まれ読み取られることができ、これによりキーロッカーと実質的に同じ機能を果たすことができる。
【００３４】
コンテンツの再生につき権限付与する代替又は追加メカニズムとして、ジュークボックスは、インターネットなどのネットワークリンク３６を通じてリモートサーバに接続され権限付与データを受信するようにすることができる。
【００３５】
ここで分かるように、ジュークボックスへのコンテンツ配信に関して記述される原理は、他のデバイスへのディジタルコンテンツの配信に等しく適用することができる。さらに、コンテンツはオーディオ又はビデオコンテンツに限定されない。例えば、本発明は、コンピュータへのソフトウェアの配信にも適用されうる。
【図面の簡単な説明】
【００３６】
【図１】本発明を具現化するデータ担体を作製するシステムを示す図。
【図２】ジュークボックスの記憶装置における、本発明を具現化するデータ担体からのコンテンツのインストールを示す図。
【図１】
2005509996.tif 000003
【図２】
2005509996.tif 000004
【国際調査報告】
2005509996.tif 000005
2005509996.tif 000006
2005509996.tif 000007